(57)【要約】【課題】  庫内に対して出し入れ自在で、持ち運び可能な棚トレーとして、また、棚部としてそれぞれ使用可能とする。【解決手段】  冷蔵庫本体３の庫内５に設けられたガイドレール１３に沿って出し入れ自在に支持された棚トレー９に、そのトレー本体１５の四周からトレー壁１７を立上げ、庫内５への挿入セット時、前記トレー本体１５の上面は、食料品等を載せる棚部として使用可能となる一方、トレー壁１７は、トレー本体１５が庫内５から引き出され持ち運ぶ時、落下を防ぐストッパー壁となることを特徴とする。【選択図】      図１
2005226967.tif 000002
【特許請求の範囲】
【請求項１】
冷蔵庫本体の庫内に、その庫内の少なくとも左右に設けられたガイドレールに沿って出し入れ自在に支持され、トレー本体の四周から立上がるトレー壁を備えた棚トレーを設け、その棚トレーは、庫内への挿入セット時、前記トレー本体の上面が食料品を載せる棚部として使用可能で、かつ、庫内から引き出され持ち選ぶ時、前記トレー壁が落下を防ぐストッパー壁となることを特徴とする冷蔵庫。
【請求項２】
前記トレー壁は、トレー本体を両手で支持し持ち運びするための取手を有していることを特徴とする請求項１記載の冷蔵庫。
【請求項３】
前記棚トレーは、トレー本体に対して３６０度回転自在に支持され、トレー本体上面と面一なターンテーブルが設けられていることを特徴とする請求項１記載の冷蔵庫。
【発明の詳細な説明】
【技術分野】
【０００１】
本発明は、食料品等の出し入れを容易にした冷蔵庫に関する。
【背景技術】
【０００２】
一般に冷蔵庫本体の庫内には、棚板が設けられその棚板に食料品等を載せることで庫内への収納が可能となる。
【０００３】
庫内への食料品の出し入れは、入れる時、１つ１つ棚板に載せるようになる。また、取出す時も、面倒でも１つ１つ取出すようになり、棚板に載っているものを一度に取出すことはできない。
【０００４】
この場合、一度に取出すことができるように冷蔵庫用の入れ物受けに、それ専用の角形の皿をセットしたものが公知となっている。その概要は、四角に形成された前後、左右の四方の内、三方に短く立上がる縁が設けられ、残りの一方が開放された入れ物受けの上に、縦・横に整列した角形の皿がセットされた構造となっている。
【特許文献１】実開平５−３８８１号公報
【発明の開示】
【発明が解決しようとする課題】
【０００５】
入れ物受けにセットされた角形の皿は、入れ物受けに対してその設置スペースを最大限に利用して並べることができる反面、入れ物受け専用の皿となっているところから例えば、料理の入った皿を庫内に入れるには角形の皿が邪魔となり、通常の棚板として使用するようにはなっていない。
【０００６】
また、入れ物受けの一方は開放されているため、持ち運ぶ時、あるいは、傾斜させて置いた時等の不注意によって開放口から滑り落ちる不具合を招く恐れがある。
【０００７】
そこで、本発明は通常の棚部としての使用が可能で、しかも、落下させることなく持ち運び可能な棚トレーを備えた冷蔵庫を提供することを目的としている。
【課題を解決するための手段】
【０００８】
前記目的を達成するために、本発明にあっては、冷蔵庫本体の庫内に、その庫内の少なくとも左右に設けられたガイドレールに沿って出し入れ自在に支持され、トレー本体の四周から立上がるトレー壁を備えた棚トレーを設け、その棚トレーは、庫内への挿入セット時、前記トレー本体の上面が食料品を載せる棚部として使用可能で、かつ、庫内から引き出され持ち選ぶ時、前記トレー壁が落下を防ぐストッパー壁となることを特徴とする。
【発明の効果】
【０００９】
本発明によれば、例えば、料理したものを一時的に庫内へ入れる際に、庫内から引き出した棚トレーの上に、料理が盛られた複数の皿を載せることで、その棚トレーによって一度に各料理を庫内へ入れることができる。また、取出す時も、棚トレーごと引き出すことで、その料理を一度にテーブルまで持ち運ぶことができる。しかも、棚トレーの持ち運び時、不注意に斜めにしてもストッパー壁となるトレー壁によって落下を防ぐことができる。
【００１０】
一方、通常はトレー本体の上面が食料品を載せる棚部として使用することができる。
【発明を実施するための最良の形態】
【００１１】
第１には、前記トレー壁に、トレー本体を両手で支持し持ち運びするための取手を設けるようにする。
【００１２】
第２には、前記棚トレーに、トレー本体に対して３６０度回転自在に支持され、トレー本体の上面と面一なターンテーブルを設け、奧に入れた食料品を手前まで回転させて取出し易くする。
【実施例１】
【００１３】
以下、図１と図２の図面に基づき本発明の実施形態について具体的に説明する。
【００１４】
図２はドアを省略した本発明にかかる冷蔵庫１の概要斜視図を示している。
【００１５】
冷蔵庫本体３の冷蔵室となる庫内５には、棚板７が複数配置され、その内のいくつかが本発明にかかる棚トレー９となっている。
【００１６】
棚トレー９の数は、１つでも、あるいは複数でもよく冷蔵庫１の大きさ等に対応して適宜自由に設定可能である。
【００１７】
棚板７は庫内５の左右に設けられたガイドレール１１によって両端支持され、例えば、庫内５の汚れ等をきれいにする時に一時的に取り外すことが可能となっている。
【００１８】
棚トレー９は、庫内５の左右に設けられたガイドレール１３に沿って出し入れ自在に支持されたトレー本体１５の四周からトレー壁１７が立上がる形状となっている。
【００１９】
ガイドレール１３は、断面内向きコ字状に形成され、コ字状に形成された上方ガイド面１３ａは左右のトレー壁１７の上端縁を、下方ガイド面１３ｂはトレー壁１７の底面をそれぞれスライド自在に支持し、前記棚板７のガイドレール１１のレール溝より広幅なレール溝に作られている。
【００２０】
この場合、ガイドレール１３は庫内５の左右に設けられた実施形態となっているが、図３に示すように庫内５の奧となる背面に設けるようにし、棚トレー９を奥まで一杯に挿入した時、左右と奧の三箇所で棚トレーを支持するようにしてもよい。
【００２１】
一方、トレー本体１５のトレー壁１７は、四周を取囲む壁となることで例えば、料理が入った皿をトレー本体１５に載せて持ち運ぶ時に落下を防ぐストッパー壁として機能するようになっている。
【００２２】
トレー壁１７の左右には、トレー本体１５を両手で支持し、持ち運びするための取手１９が設けられている。
【００２３】
取手１９の形状としては図１に示すように、トレー壁１７の左右に親指を除く４本の指が容易に入る大きさに形成された横長の取手孔形状となっている。
【００２４】
取手孔形状の取手１９は、トレー壁１７から上方に突出する突出部分１７ａに設けられているところから、ガイドレール１３の上方ガイド面１３ａは、トレー本体１５の出し入れ時に支障が起きないように突出部分１７ａの移動ストローク領域にわたってカットしてある。
【００２５】
なお、取手１８は、取手孔形状に特定されない。例えば、図４，図５に示すように、トレー壁１７の上端縁から全周囲にわたって指が入る程度の隙間を有して１８０度下向きに折返し、その折返し部を取手１９とすることも可能である。
【００２６】
この場合、下向きに折返えた折返し部の取手１９領域の前後に、例えば図６に示すように曲面領域１９ａを組合せ、特徴をもたせた取手１９形状とすることも可能である。
【００２７】
これら実施形態の取手１９にあっては、ガイドレール１３に対して前記取手１９となる折返し部が図５仮想線で示すようにスライド自在に係合支持されるようになる。
【００２８】
あるいは、取手１９は、それ専用のガイドレールとなるが、図７，図８に示すようにトレー壁１７の左右の上端縁中央部位から指が入る程度の隙間を有して短く下向きに１８０度折返し、その折返し部を取手１９とする形状としてもよい。
【００２９】
この実施形態の取手１９にあっては、前記したように、取手１９専用の断面Ｕ字状のガイドレール２１に対して上方からスライド自在に係合支持される支持手段を兼ねる形状となる。
【００３０】
このように構成された冷蔵庫１の棚トレー９によれば、トレー本体１５の上面を、食料品等を出し入れするための棚部として使用することが可能となる。
【００３１】
一方、例えば、来客等のために作った料理を一時的に庫内５へ入れるには、棚トレー９を引き出した後、その上に料理を載せることで、料理ごと一度に庫内５へ入れることができる。
【００３２】
一方、取出す時は、棚トレー９を引き出すことで、そのままテーブルまで一度に持ち運びすることができる。この時に、不注意で棚トレー９を斜めにしてもストッパー壁となるトレー壁１７によって外へ滑り落ちる等の不具合は起こらず安全に運べるようになる。
【００３３】
図９と図１０は棚トレー９の実施例２を示したものである。
【００３４】
この棚トレー９は、トレー本体１５の上面に、その上面と同一なターンテーブル２３を回転自在に設けるようにしたものである。
【００３５】
ターンテーブル２３の径は、前後のトレー壁１７までの径とほぼ同一となっていて、前後となるテーブル外周縁の一部領域は前記トレー壁１７に設けられた横長の開口操作孔２５内に臨む形状となっている。
【００３６】
これにより、開口操作孔２５から指によってターンテーブル２３のテーブル外周縁を指で操作することでターンテーブル２３の回転が可能となっている。この場合、テーブル外周縁には凹凸部２７を設け、指による操作時に滑ることなくその凹凸部２７によって操作がし易いようにすることが望ましい。
【００３７】
したがって、この実施形態によれば、棚トレー９を両手で支持し、持ち運びができることは無論として、それを棚部として使用する時に、ターンテーブル２３を回転させることで、奧に入れた食料品等を手前に位置させることができるようになり、容易に取出せるようになる。
【図面の簡単な説明】
【００３８】
【図１】本発明にかかる棚トレーの一方を庫内片側のガイドレールに挿入支持した状態の概要説明図。
【図２】ドアを省略した本発明にかかる冷蔵庫の概要斜視図。
【図３】ガイドレールを庫内の左右と奧側とに設け、棚トレーを三点支持した状態を示す一部分の概要説明図。
【図４】取手に別の実施形態を実施した棚トレーの概要説明図。
【図５】図４のＡ−Ａ線拡大断面図。
【図６】図４の取手領域に曲面領域を加えて特徴を持たせた棚トレーの概要斜視図。
【図７】取手にさらに別の実施形態を実施した棚トレーの概要説明図。
【図８】図７の取手の専用ガイドレールを示した概要断面図。
【図９】トレー本体にターンテーブルを設けた実施例２の棚トレーの概要説明図。
【図１０】図９のＢ−Ｂ線断面図。
【符号の説明】
【００３９】
３…冷蔵庫本体
５…庫内
７…棚板
９…棚トレー
１３…ガイドレール
１５…トレー本体
１７…トレー壁
１９…取手
２３…ターンテーブル
【図１】
2005226967.tif 000003
【図２】
2005226967.tif 000004
【図３】
2005226967.tif 000005
【図４】
2005226967.tif 000006
【図５】
2005226967.tif 000007
【図６】
2005226967.tif 000008
【図７】
2005226967.tif 000009
【図８】
2005226967.tif 000010
【図９】
2005226967.tif 000011
【図１０】
2005226967.tif 000012